【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
ダウンリンクリファレンスシンボルの配列を含む無線インターフェースを用いる無線通信システムにおいて端末デバイスを動作させる方法であって、
基地局によって送信されるリファレンスシンボルをモニタし、
前記ダウンリンクリファレンスシンボルの前記配列の中からの少なくとも１つのリファレンスシンボルの前記基地局による送信が抑制されることを識別し、
当該送信が抑制される前記識別された少なくとも１つのリファレンスシンボルに基づいて低アクティビティモードに入るべき期間を決定し、
前記決定された期間に亘って前記低アクティビティモードを起動する、
ことを備える方法。
【請求項２】
前記決定された前記低アクティビティモードに入るべき期間は、前記リファレンスシンボルのうちの異なるリファレンスシンボルと前記低アクティビティモードに入る異なるポテンシャル期間との間の関連付けに基づくものである、請求項１に記載の方法。
【請求項３】
前記リファレンスシンボルのうちの異なるリファレンスシンボルと前記低アクティビティモードに入る異なるポテンシャル期間との間の前記関連付けは、前記無線通信システムのために事前に定義される、請求項２に記載の方法。
【請求項４】
前記リファレンスシンボルのうちの異なるリファレンスシンボルと前記低アクティビティモードに入る異なるポテンシャル期間との間の前記関連付けは、前記基地局から前記端末デバイスへ通信される、請求項２に記載の方法。
【請求項５】
前記リファレンスシンボルのうちの異なるリファレンスシンボルと前記低アクティビティモードに入る異なるポテンシャル期間との間の前記関連付けは、ルックアップテーブルにおいて定義される、請求項２から４のいずれか一項に記載の方法。
【請求項６】
前記送信が抑制される前記少なくとも１つのリファレンスシンボルは、２つ以上のリファレンスシンボルを含み、前記低アクティビティモードに入るべき前記期間は、リファレンスシンボルの異なる組み合わせと前記低アクティビティモードに入る複数のポテンシャル期間との間のマッピングに従って決定される、請求項１から５のいずれか一項に記載の方法。
【請求項７】
前記リファレンスシンボルは、前記基地局の複数のアンテナポートからの送信時に受信され、前記決定された前記低アクティビティモードに入る期間は、どのアンテナポートが、前記送信が抑制される前記少なくとも１つのリファレンスシンボルと関連付けられているかに基づいている、請求項１から６のいずれか一項に記載の方法。
【請求項８】
前記リファレンスシンボルは、ＣＲＳ（セル特有のリファレンスシンボル）、及び／又は、端末デバイス特有のリファレンスシンボル、及び／又は、ＤＭ‐ＲＳ（復調リファレンスシンボル）、及び／又は、チャネル状態情報リファレンスシンボル、及び／又は、Ｐ‐ＲＳ（位置決めリファレンスシンボル）を備える、請求項１から７のいずれか一項に記載の方法。
【請求項９】
前記少なくとも１つのリファレンスシンボルの前記送信が抑制される時間に対する前記低アクティビティモードに入る前記期間の開始時刻も、前記送信が抑制される前記少なくとも１つのリファレンスシンボルに基づく、請求項１から８のいずれか一項に記載の方法。
【請求項１０】
送信が抑制される前記識別された少なくとも１つのリファレンスシンボルに基づいて、前記低アクティビティモードに入るべきさらなる少なくとも１つの期間を決定することをさらに備える、請求項１から９のいずれか一項に記載の方法。
【請求項１１】
前記決定された期間及びさらなる少なくとも１つの期間は、前記送信が抑制される前記少なくとも１つのリファレンスシンボルによって定義されるパターンに従う、請求項１０に記載の方法。
【請求項１２】
前記端末デバイスの識別子と、前記送信が抑制される前記少なくとも１つのリファレンスシンボルと関連付けられるアイデンティティとの間の対応に基づく期間にわたって前記低アクティビティモードに入ることを決定することをさらに備える、請求項１から１１のいずれか一項に記載の方法。
【請求項１３】
前記送信が抑制される前記少なくとも１つのリファレンスシンボルと関連付けられる前記アイデンティティは、前記端末デバイスを一意に識別する、請求項１２に記載の方法。
【請求項１４】
前記送信が抑制される前記少なくとも１つのリファレンスシンボルと関連付けられる前記アイデンティティは、前記端末デバイスがメンバである端末デバイスのグループを識別する、請求項１２に記載の方法。
【請求項１５】
前記端末デバイスと前記端末デバイスがメンバである前記端末デバイスのグループとの間の関連付けが、前記基地局と前記端末デバイスとの間のシグナリングによって確立される、請求項１４に記載の方法。
【請求項１６】
前記端末デバイスと前記端末デバイスがメンバである前記端末デバイスのグループとの間の関連付けが、前記無線通信システムのために事前に定義される、請求項１４に記載の方法。
【請求項１７】
前記少なくとも１つのリファレンスシンボルは、前記リファレンスシンボルが受信されないこと、又は、他のリファレンスシンボルより少ない電力で受信されることに基づいて抑制されるものとして識別される、請求項１から１６のいずれか一項に記載の方法。
【請求項１８】
前記無線インターフェースは無線サブフレームを備えるダウンリンク無線フレーム構造を有する、請求項１から１７のいずれか一項に記載の方法。
【請求項１９】
前記期間は、リファレンスシンボルが抑制されるサブフレームに対して定義されるオフセットから開始するサブフレームの数と対応する、請求項１８に記載の方法。
【請求項２０】
前記送信が抑制される前記少なくとも１つのリファレンスシンボルは、２以上のサブフレームの各サブフレームに少なくとも１つのリファレンスシンボルを備える、請求項１８又は１９に記載の方法。
【請求項２１】
前記無線インターフェースは、システム周波数帯域幅に亘る複数の直交周波数分割多重（ＯＦＤＭ）サブキャリアを備え、
前記無線インターフェースは、前記システム周波数帯域幅全体にわたって分散する前記ＯＦＤＭサブキャリアの第１のグループを用いて第１のクラスの端末デバイスと通信するための第１のキャリアと、制限された周波数帯域幅にわたって分散する前記ＯＦＤＭサブキャリアの第２のグループ上で第２のクラスの端末デバイスと通信するための第２のキャリアとをサポートし、
前記制限された周波数帯域幅は、前記システム周波数帯域幅より狭く、且つ、前記システム周波数帯域幅内にあり、
前記端末デバイスは、前記第２のキャリア上で動作する前記第２のクラスの端末デバイスである、
請求項１から２０のいずれか一項に記載の方法。
【請求項２２】
前記送信が抑制される前記少なくとも１つのリファレンスシンボルに基づいて、前記基地局から前記端末デバイスへ通信されるさらなる情報を導出することをさらに備える、請求項１から２１のいずれか一項に記載の方法。
【請求項２３】
前記基地局と前記端末デバイスとの間の後続通信のリソースを要求するために、前記端末デバイスが、前記低アクティビティモードの間に前記基地局へシグナリングを送信することをさらに備える、請求項１から２２のいずれか一項に記載の方法。
【請求項２４】
前記端末デバイスが、前記低アクティビティモードの終了時に前記基地局へＣＱＩ（ｃｈａｎｎｅｌ  ｑｕａｌｉｔｙ  ｉｎｄｉｃａｔｏｒ）を送信することをさらに備える、請求項１から２３のいずれか一項に記載の方法。
【請求項２５】
前記低アクティビティモードは、前記端末デバイスが前記低アクティビティモードではないときよりも少なく、且つ、前記基地局からである送信を、復号するように前記端末デバイスが構成されるモードである、請求項１から２４のいずれか一項に記載の方法。
【請求項２６】
前記端末デバイスは、前記低アクティビティモードにおいて、同期情報、及び／又は、システム情報、及び／又は、リファレンスシンボルのうちの少なくとも１つを復号し続ける、請求項１から２５のいずれか一項に記載の方法。
【請求項２７】
前記端末デバイスはマシンタイプコミュニケーション（ＭＴＣ（ｍａｃｈｉｎｅ−ｔｙｐｅ  ｃｏｍｍｕｎｉｃａｔｉｏｎ））端末デバイスである、請求項１から２６のいずれか一項に記載の方法。
【請求項２８】
ダウンリンクリファレンスシンボルの配列を含む無線インターフェースを用いる無線遠距離通信システムにおいて使用するための端末デバイスであって、
基地局によって送信されるリファレンスシンボルをモニタするためのモニタリングユニットと、
前記基地局によるダウンリンクリファレンスシンボルの前記配列の中からの少なくとも１つのリファレンスシンボルの送信が抑制されることを識別するための識別ユニットと、
前記送信が抑制された前記識別された少なくとも１つのリファレンスシンボルに基づいて、低アクティビティモードに入るべき期間を決定するための決定ユニットと、
前記決定された期間にわたって前記低アクティビティモードを起動するための起動ユニットと、
を備える端末デバイス。
【請求項２９】
前記決定された前記低アクティビティモードに入るべき期間は、前記リファレンスシンボルのうちの異なるリファレンスシンボルと前記低アクティビティモードに入る異なるポテンシャル期間との間の関連付けに基づく、請求項２８に記載の端末デバイス。
【請求項３０】
前記リファレンスシンボルのうちの異なるリファレンスシンボルと前記低アクティビティモードに入る異なるポテンシャル期間との間の前記関連付けは前記無線通信システムのために事前に定義される、請求項２９に記載の端末デバイス。
【請求項３１】
前記リファレンスシンボルのうちの異なるリファレンスシンボルと前記低アクティビティモードに入る異なるポテンシャル期間との間の前記関連付けは、前記基地局から前記端末デバイスへ通信される、請求項２９に記載の端末デバイス。
【請求項３２】
前記リファレンスシンボルのうちの異なるリファレンスシンボルと前記低アクティビティモードに入る異なるポテンシャル期間との間の前記関連付けは、ルックアップテーブルにおいて定義される、請求項２９から３１のいずれか一項に記載の端末デバイス。
【請求項３３】
送信が抑制される前記少なくとも１つのリファレンスシンボルは、２つ以上のリファレンスシンボルを備え、
前記端末デバイスは、前記低アクティビティモードに入る前記期間がリファレンスシンボルの異なる組み合わせと前記低アクティビティモードに入る複数のポテンシャル期間との間のマッピングに従って決定されるように、
構成された請求項２８から３２のいずれか一項に記載の端末デバイス。
【請求項３４】
前記基地局の複数のアンテナポートからの送信時に前記リファレンスシンボルを受信し、且つ、どのアンテナポートが、前記送信が抑制される前記少なくとも１つのリファレンスシンボルと関連付けられるかに基づいて前記低アクティビティモードに入る前記期間を決定するように、
構成された請求項２８から３３のいずれか一項に記載の端末デバイス。
【請求項３５】
前記リファレンスシンボルは、ＣＲＳ（セル特有のリファレンスシンボル）、及び／又は、端末デバイス特有のリファレンスシンボル、及び／又は、ＤＭ‐ＲＳ（復調リファレンスシンボル）、及び／又は、チャネル状態情報リファレンスシンボル、及び／又は、Ｐ‐ＲＳ（位置決めリファレンスシンボル）を備える、請求項２８から３４のいずれか一項に記載の端末デバイス。
【請求項３６】
前記少なくとも１つのリファレンスシンボルの前記送信が抑制される時間に対する前記低アクティビティモードに入る期間の開始時刻が、前記送信が抑制される前記少なくとも１つのリファレンスシンボルに基づいて決定されるように、
構成された請求項２８から３５のいずれか一項に記載の端末デバイス。
【請求項３７】
前記送信が抑制される識別された少なくとも１つのリファレンスシンボルに基づいて、前記低アクティビティモードに入るべきさらなる少なくとも１つの期間を決定するようにさらに構成される、請求項２８から３６のいずれか一項に記載の端末デバイス。
【請求項３８】
前記決定される期間及びさらなる少なくとも１つの期間は、前記送信が抑制される前記少なくとも１つのリファレンスシンボルによって定義されるパターンに従う、請求項３７に記載の端末デバイス。
【請求項３９】
前記端末デバイスの識別子と、前記送信が抑制される前記少なくとも１つのリファレンスシンボルと関連付けられるアイデンティティとの間の対応関係に基づく期間にわたって前記低アクティビティモードに入ることを決定するように、
さらに構成された請求項２８から３８のいずれか一項に記載の端末デバイス。
【請求項４０】
前記送信が抑制される前記少なくとも１つのリファレンスシンボルと関連付けられる前記アイデンティティは、前記端末デバイスを一意に識別する、請求項３９に記載の端末デバイス。
【請求項４１】
前記送信が抑制される前記少なくとも１つのリファレンスシンボルと関連付けられる前記アイデンティティは、前記端末デバイスがメンバである端末デバイスのグループを識別する、請求項３９に記載の端末デバイス。
【請求項４２】
前記端末デバイスと前記端末デバイスがメンバである前記端末デバイスのグループとの間の関連付けが、前記基地局と前記端末デバイスとの間のシグナリングによって確立されるように、
構成された請求項４１に記載の端末デバイス。
【請求項４３】
前記端末デバイスと前記端末デバイスがメンバである前記端末デバイスのグループとの間の関連付けが、前記無線通信システムのために事前に定義される、請求項４１に記載の端末デバイス。
【請求項４４】
前記少なくとも１つのリファレンスシンボルが、前記リファレンスシンボルが受信されないこと、又は、他のリファレンスシンボルより少ない電力で受信されることに基づいて抑制されるものとして識別されるように、
構成された請求項２８から４３のいずれか一項に記載の端末デバイス。
【請求項４５】
前記無線インターフェースは無線サブフレームを備えるダウンリンク無線フレーム構造を有する、請求項２８から４４のいずれか一項に記載の端末デバイス。
【請求項４６】
前記期間は、リファレンスシンボルが抑制されるサブフレームに対して定義されるオフセットから開始するサブフレームの数と対応する、請求項４５に記載の端末デバイス。
【請求項４７】
前記送信が抑制される前記少なくとも１つのリファレンスシンボルは、複数のサブフレームの各サブフレームに少なくとも１つのリファレンスシンボルを備える、請求項４５又は４６に記載の端末デバイス。
【請求項４８】
前記無線インターフェースは、システム周波数帯域幅に亘る複数の直交周波数分割多重（ＯＦＤＭ）サブキャリアを備え、
前記無線インターフェースは、前記システム周波数帯域幅全体にわたって分散する前記ＯＦＤＭサブキャリアの第１のグループを用いて第１のクラスの端末デバイスと通信するための第１のキャリアと、制限された周波数帯域幅にわたって分散する前記ＯＦＤＭサブキャリアの第２のグループ上で第２のクラスの端末デバイスと通信するための第２のキャリアとをサポートし、
前記制限された周波数帯域幅は、前記システム周波数帯域幅より狭く、且つ、前記システム周波数帯域幅内にあり、
前記端末デバイスは、前記第２のキャリア上で動作する前記第２のクラスの端末デバイスである、
請求項２８から４７のいずれか一項に記載の端末デバイス。
【請求項４９】
送信が抑制される前記少なくとも１つのリファレンスシンボルに基づいて、前記基地局によって通信されるさらなる情報を導出するように、さらに構成された請求項２８から４８のいずれか一項に記載の端末デバイス。
【請求項５０】
前記基地局と前記端末デバイスとの間の後続の通信のリソースを要求するために、前記低アクティビティモードの間に前記基地局へシグナリングを送信するようにさらに構成された請求項２８から４９のいずれか一項に記載の端末デバイス。
【請求項５１】
前記低アクティビティモードの終了時に、前記基地局へＣＱＩ（ｃｈａｎｎｅｌ  ｑｕａｌｉｔｙ  ｉｎｄｉｃａｔｏｒ）を送信するようにさらに構成された請求項２８から５０のいずれか一項に記載の端末デバイス。
【請求項５２】
前記低アクティビティモードは、前記端末デバイスが前記低アクティビティモードではないときよりも少ない前記基地局からの送信を復号するように、前記端末デバイスが構成されるモードである、請求項２８から５１のいずれか一項に記載の端末デバイス。
【請求項５３】
前記低アクティビティモードにおいて、同期情報、及び／又は、システム情報、及び／又は、リファレンスシンボルのうちの少なくとも１つを復号し続けるように構成された請求項２８から５２のいずれか一項に記載の端末デバイス。
【請求項５４】
マシンタイプコミュニケーション（ＭＴＣ）端末デバイスである、請求項２８から５３のいずれか一項に記載の端末デバイス。
【請求項５５】
請求項２８から５４のいずれか一項に記載の端末デバイスと基地局とを備える無線通信システム。
【手続補正２】
【補正対象書類名】明細書
【補正対象項目名】０２０７
【補正方法】変更
【補正の内容】
【０２０７】
上記で説明したように、低機能端末１４０３は、アップリンク仮想キャリア及びダウンリンク仮想キャリア上の狭帯域化された帯域幅にわたってデータを送受信するため、ダウンリンクデータを受信、復号し、アップリンクデータを符号化、送信するのに必要な送受信機ユニット１４０５の複雑さ、消費電力及び費用は、従来のＬＴＥ端末で設けられる送受信機ユニット１４０６と比べて抑制される。
【手続補正３】
【補正対象書類名】明細書
【補正対象項目名】０２０８
【補正方法】変更
【補正の内容】
【０２０８】
セル１４０４内の端末のうちの１つへ送信されるべきコアネットワーク１４０８からのダウンリンクデータを受信するときに、適応ｅＮＢ１４０１は、そのデータが従来のＬＴＥ端末１４０２に向けられたものか、それとも低機能端末１４０３に向けられたものか判定するように構成される。これは任意の適切な技術を用いて達成され得る。例えば、低機能端末１４０３に向けられたデータは、そのデータがダウンリンク仮想キャリア上で送信されなければならないことを指示する仮想キャリアフラグを含んでいてよい。適応ｅＮＢ１４０１が、ダウンリンクデータが低機能端末１４０３へ送信されるべきことを検出した場合には、適応ｅＮＢ１４０１に含まれる適応スケジューリングユニット１４０９が、そのダウンリンクデータがダウンリンク仮想キャリア上で当該の低機能端末へ送信されることを保証する。別の例では、ネットワークは、仮想キャリアがｅＮＢから論理的に独立しているように構成される。より具体的には、仮想キャリアは、仮想キャリアがホストキャリアとの関係を有することがコアネットワークに認識されないよう、コアネットワークには別個のセルとして見えるように構成され得る。パケットは、従来のセルについてルーティングされる通りに、単に仮想キャリアへ／仮想キャリアからルーティングされる。
【手続補正４】
【補正対象書類名】明細書
【補正対象項目名】０２１８
【補正方法】変更
【補正の内容】
【０２１８】
ホストキャリア送信リソースグリッド１５３０及び仮想キャリア送信リソースグリッド１５５０は、一緒に合わせると、図１５Ａの全体の送信リソースグリッド１５００に対応するように、一方が他方における空間を「埋める」という点で相互に補完し合う。よって、本発明のいくつかの実施形態を要約すると、第１の周波数帯域幅（例えば、図１５Ａから図１５ＣのＲ３２０）に亘る複数の直交周波数分割多重（ＯＦＤＭ）サブキャリアを用いて、通信がサポートされる。ユーザプレーンデータは、（例えば図１５Ｂの領域１５０６の）第１の周波数帯域幅にわたって分散するＯＦＤＭサブキャリアの第１のグループを用いてホストキャリア上で通信されてよく、またユーザプレーンデータは、第２の周波数帯域幅にわたって分散するＯＦＤＭサブキャリアの第２のグループを用いて仮想キャリア上で通信されてよく、第２の周波数帯域幅は、第１の周波数帯域幅より小さく、第１の周波数帯域幅内（例えば図１５Ｃの領域１５１０内）にある。しかし、ホストキャリアのための制御プレーンデータ（例えばＰＤＣＣＨ）は、（例えば図１５Ｂの領域１５０２で）ＯＦＤＭサブキャリアの両方のグループを用いて通信され得る。
【手続補正５】
【補正対象書類名】明細書
【補正対象項目名】０２２２
【補正方法】変更
【補正の内容】
【０２２２】
この例では、第１の端末デバイス１６０６は、主に、（例えば図１５Ｂで表されるような）無線インターフェースのホストキャリア構成要素と関連付けられるリソースを用いて基地局１６０４と通信する従来のスマートフォンタイプの端末デバイスであるものと想定されている。この第１の端末デバイス１６０６は、無線信号の送受信のための送受信機ユニット１６０６ａ、及びスマートフォン１６０６を制御するように構成されたコントローラユニット１６０６ｂを備える。コントローラユニット１６０６ｂは、無線通信システム内の機器のための従来のプログラミング法／構成法を用いて所望の機能を提供するように適切に構成／プログラムされたプロセッサユニットを備えることができる。送受信機ユニット１６０６ａ及びコントローラユニット１６０６ｂは、図１６には別個の要素として概略的に示されている。しかし、これらのユニットの機能は多種多様なやり方で、例えば、単一の適切にプログラムされた集積回路を用いて提供され得ることが理解されるであろう。理解されるように、スマートフォン１６０６は一般に、スマートフォン１６０６の動作機能と関連付けられる様々な他の要素を備える。
【手続補正６】
【補正対象書類名】明細書
【補正対象項目名】０２２６
【補正方法】変更
【補正の内容】
【０２２６】
よって、基地局１６０４は、無線通信システムのホストキャリアと関連付けられる第１の無線通信リンク１６１０上でスマートフォン１６０６とデータをやりとりし、無線通信システムの仮想キャリアと関連付けられる第２の無線通信リンク１６１２上でＭＴＣデバイス１６０８とデータをやりとりするように構成される。